(57)【要約】      （修正有）【課題】手軽な正、反回転及び位置決め操作により、上、下ラック棒に異なる分岐角度が構成されて、ランドリーラックの高さ調整が一層便利となるランドリーラックの角度調整構造を提供する。【解決手段】軸接された第１蓋体１と第２蓋体２で構成された軸盤１０を備え、第１、第２蓋体の表面にそれぞれスリーブ１１，１２，１３，２１，２２を設けて、横棒と上、下ラック棒に接合する。第１蓋体は表面に間隔をおいて排列された複数の位置決め孔を設け、第２蓋体には穴を設け、穴から内向きに溝を伸長して、棒体８に穴を穿設してスプリングを被せる。第１、第２蓋体が正回転、反回転すると、棒体が異なる位置の位置決め孔に嵌設されて、上、下ラック棒に異なる分岐角度が構成されて、ランドリーラックの高さ調整が便利になる。【選択図】図２
0003170115.tif 000002
【実用新案登録請求の範囲】
【請求項１】
軸接された第１蓋体と第２蓋体で構成された軸盤を備え、前記第１、第２蓋体の表面にそれぞれ上向きと下向き、及び、横向のスリーブを設け、上、下ラック棒に接合してランドリーラックを構成するランドリーラックの角度調整構造において、
前記第１蓋体には間隔を置いて排列された複数個の位置決め孔を設け、
前記第２蓋体には前記複数個の位置決め孔に対応する穴と、穴から内向きに伸長した溝とを設け、
伸縮可能な棒体を前記溝に穿設して、第１、第２蓋体が正回転、反回転すると、棒体が第１蓋体の異なる位置の位置決め孔に嵌設されて、上、下ラック棒に異なる分岐角度が構成されることで、ランドリーラックの高さ調整が一層便利となることを特徴とするランドリーラックの角度調整構造。
【請求項２】
前記棒体の前端に、環状溝を設け、末端には直径の大きい引っ張り部を設け、棒体を第２蓋体の穴を貫通させた上で、スプリングを嵌め込んで、Ｃ形リングを環状溝に係合させて位置を限定して、棒体をスプリングの弾性により伸縮可能な状態とすることを特徴とする、請求項１に記載のランドリーラックの角度調整構造。
【考案の詳細な説明】
【技術分野】
【０００１】
本考案は、ランドリーラックに関し、より詳しくは、手軽な回転と位置決め操作により、上、下ラック棒に異なる分岐角度が構成されて、ランドリーラックの高さ調整が一層便利となるランドリーラックの角度調整構造に関する。
【背景技術】
【０００２】
従来から、既存の居住環境では限りあるスペースで衣服等を吊るさなくてはならないため、概ねＸ形で分岐可能なランドリーラックが開発、販売されており、前記ランドリーラックは２組のＸ形のラックを備え、その頂部の間を吊るし棒で連接している。
【考案の概要】
【考案が解決しようとする課題】
【０００３】
然しながら、従来のランドリーラックでは前記Ｘ形ランドリーラックの長さが固定されているため、衣服を干すのに必要な調整ができない。例えば、一般的なランドリーラックの設計では、衣服を吊るし干しするのに、干す時間が長いシーツなどの衣服は、たとえＸ形ランドリーラックを屋上や室外等の広めのスペースに移したとしても、シーツを全部拡げて干すことはできず、至極不便である。しかもＸ形ラックは多様な角度に調整するのが不可能なことから、異なるベランダでのニーズに適応し難く、従って、真にユーザーのニーズを満たすことができず、改良の必要性がある。本出願人はこうしたことを考慮して、前記業務に長年従事した経験から、絶えず研究や実験を重ねてランドリーラック調整構造の改良に至った次第であり、ランドリーラックの使用が一層便利となることが望まれる。
【０００４】
本考案は、このような従来の問題に鑑みてなされたものである。そこで、本考案は、手軽な正回転、反回転と位置決め操作により、上、下ラック棒に異なる分岐角度が構成されて、ランドリーラックの高さ調整が一層便利となるランドリーラックの角度調整構造を提供することを主目的とする。
【課題を解決するための手段】
【０００５】
上述した課題を解決し、目的を達成するために、本考案に係るランドリーラックの角度調整構造は、軸接された第１蓋体と第２蓋体で構成された軸盤を設け、第１、第２蓋体の表面にそれぞれ上向きと下向き、及び、横向のスリーブを設け、上、下ラック棒に接合してランドリーラックを構成するものであって、第１蓋体には間隔を置いて排列された複数個の位置決め孔を設け、第２蓋体には複数個の位置決め孔に対応する穴と、穴から内向きに伸長した溝とを設け、伸縮可能な棒体を溝に穿設して、第１、第２蓋体が正回転、反回転すると、棒体が第１蓋体の異なる位置の位置決め孔に嵌設されて、上、下ラック棒に異なる分岐角度が構成されることで、ランドリーラックの高さ調整が一層便利となることを特徴とする。
【考案の効果】
【０００６】
本考案によれば、ランドリーラックの高さ調整が一層便利となるランドリーラックの角度調整構造が得られる。
【図面の簡単な説明】
【０００７】
【図１】本考案の斜視図である。
【図２】本考案の分解斜視図である。
【図３】本考案のランドリーラックの組み立て後の斜視図である。
【図４】本考案の角度調整の実施形態の説明図である。
【図５】本考案の別の角度調整の実施形態の説明図である。
【考案を実施するための形態】
【０００８】
以下、本考案を実施するための形態について、図面に基づいて詳細に説明する。なお、本考案は、以下に説明する実施形態に限定されるものではない。
【０００９】
本考案の実施形態に係るランドリーラックの角度調整構造につき、図１、図２、及び図３は、それぞれ本考案の斜視図、分解斜視図、及びランドリーラックの組み立て後の斜視図である。図示される様に、本考案は主に第１蓋体１と第２蓋体２で構成された軸盤１０を設け、前記第１、第２蓋体１、２の中心にボルト３を穿設した上で取っ手４を螺合すると、前記第１、第２蓋体１、２は相互に回転状態となる。
【００１０】
前記第１蓋体１の表面に、それぞれ上向きと下向きのスリーブ１１、１２、及び横向のスリーブ１３を設け、上、下ラック棒５、６と横棒７に接合し、また、前記第２蓋体２の表面に、それぞれ上向きと下向きのスリーブ２１、２２を設け、同じ態様の上、下ラック棒５、６を接合して、Ｘ形ラックを構成する。前記第１蓋体１はその内縁に、対称となる係合リブ１４を設け、２つの係合リブ１４の両側をそれぞれ内向の斜面となるようにし、２つの係合リブ１４はスリーブ１１、１２と同一直線上に排列して、適切な位置に間隔を置いて排列された位置決め孔１５を設ける。
【００１１】
前記第２蓋体２には、対称となる停止リブ２３を設け、２つの停止リブ２３の両側はそれぞれ内向の斜面となるようにし、２つの停止リブ２３はスリーブ２１、２２との垂直角度から若干偏った位置に排列する。本実施形態では、前記係合リブ１４と停止リブ２３は第１、第２蓋体１、２の壁面より高く、しかも前記停止リブ２３は第１蓋体１に設けられた係合リブ１４より大きく、適切な位置に穴２４を設け、穴２４から内向きに溝２５を伸長する。なお、本実施形態では、前記溝２５はこのうちの停止リブ２３に設けるが、他の位置でも可能である。
【００１２】
棒体８の前端に、環状溝８１を設け、末端には直径の大きい引っ張り部８２を設け、棒体８を第２蓋体２の穴２４を貫通させた上で、スプリング８３を嵌め込んで、Ｃ形リング８４を環状溝８１に係合させて位置を限定して、棒体８がスプリング８３の弾性により伸縮可能な状態とする。こうして前記部材を組合せてランドリーラックを構成する。
【００１３】
第１、第２蓋体１、２が正回転、反回転すると、棒体８が第１蓋体１の異なる位置の位置決め孔１５に嵌設されて、上、下ラック棒５、６に異なる分岐角度が構成され、ランドリーラックの高さ調整が一層便利となり、また、係合リブ１４が停止リブ２３を係止させる働きにより、過度に回転しないようにすることができる。
【００１４】
図４は本考案に係る角度調整の実施形態の説明図である。図２で示される様に、本考案は調整の際、先ずこのうちの棒体８を引っ張り部８２で外向きに引っ張り、第１蓋体１の位置決め孔１５から外した上で、第１、第２蓋体１、２を正回転、反回転させ、満足のいく角度まで回転させてから棒体８を離すと、棒体８はスプリング８３の張力により伸張状態に戻り、別の位置の位置決め孔１５に嵌設されて、第１、第２蓋体１、２は位置決めされた状態となる。このように、ランドリーラックの高さを上げ下げする操作がかなり便利となり、しかも位置決め孔１５を設ける数により、第１、第２蓋体１、２は多様な角度の調整や位置決めが可能となり、こうしてランドリーラックの高さ調整が一層多様化されて、ランドリーラックの実用価値が高まる。
【００１５】
図５は本考案の別の角度調整における実施形態の説明図である。図２に示すように、本考案は調整の際、第１、第２蓋体１、２を正回転、反回転させる。満足のいく角度まで回転させてから棒体８を離すと、棒体８はスプリング８３の張力により伸張状態に戻り、第１蓋体１の異なる位置の位置決め孔１５に嵌設されて、第１、第２蓋体１、２は位置決めされた状態となる。本実施形態は、少なくとも３つの調整の角度からなり、ランドリーラックは少なくとも３つの高さ調整ができる。当然ながら、位置決め孔１５はニーズに応じて増加可能で、これに伴って角度の調整量も増えて、ランドリーラックの高さ調整が一層便利となる。
【００１６】
以上のとおり、本考案位置決め孔と伸縮可能な棒体を設けた蓋体により、ランドリーラックの角度調整構造が構成され、ランドリーラックが手軽な正回転、反回転及び位置決め操作により、上、下ラック棒に異なる分岐角度が構成されて、ランドリーラックの高さ調整が一層便利となる。
【００１７】
上述の実施形態は本考案の技術思想及び特徴を説明するためのものにすぎず、当該技術分野を熟知する者に本考案の内容を理解させると共にこれをもって実施させることを目的とし、本考案の登録請求の範囲を限定するものではない。従って、本考案の精神を逸脱せずに行う各種の同様の効果をもつ改良又は変更は、後述の実用新案登録請求の範囲に含まれるものとする。
【符号の説明】
【００１８】
１    第１蓋体
１０  軸盤
１１  スリーブ
１２  スリーブ
１３  スリーブ
１４  係合リブ
１５  位置決め孔
２    第２蓋体
２１  スリーブ
２２  スリーブ
２３  停止リブ
２４  穴
２５  溝
３    ボルト
４    取っ手
５    上ラック棒
６    下ラック棒
７    横棒
８    棒体
８１  環状溝
８２  引っ張り部
８３  スプリング
８４  Ｃ形リング
【図１】
0003170115.tif 000003
【図２】
0003170115.tif 000004
【図３】
0003170115.tif 000005
【図４】
0003170115.tif 000006
【図５】
0003170115.tif 000007